【手続補正書】
【提出日】平成26年7月18日(2014.7.18)
【手続補正１】
【補正対象書類名】明細書
【補正対象項目名】発明の名称
【補正方法】変更
【補正の内容】
【発明の名称】印刷装置および記録紙搬送機構
【手続補正２】
【補正対象書類名】特許請求の範囲
【補正対象項目名】全文
【補正方法】変更
【補正の内容】
【特許請求の範囲】
【請求項１】
液滴吐出ヘッドと、
記録紙を搬送する搬送部と、
前記搬送部で前記記録紙を搬送する搬送方向および前記搬送方向と直交する幅方向に配設された吸引孔を複数有し、前記液滴吐出ヘッドに対峙するプラテンと、
前記プラテンの前記吸引孔から前記記録紙を吸引する吸引機構部と、
複数の前記吸引孔の少なくとも一部を開放もしくは閉鎖する開閉機構と、
を備えることを特徴とする印刷装置。
【請求項２】
前記開閉機構は、前記記録紙により覆われる位置に配設される前記吸引孔を開放し、前記記録紙により覆われない位置に配設される前記吸引孔を閉鎖する請求項１に記載の印刷装置。
【請求項３】
前記開閉機構は、前記搬送部で前記記録紙が搬送されて前記吸引孔を前記記録紙により覆われたときに前記吸引孔を開放し、前記搬送部で前記記録紙が搬送されて前記吸引孔を前記記録紙により覆われなくなったとき、前記吸引孔を閉鎖する請求項１に記載の印刷装置。
【請求項４】
前記開閉機構は、複数の前記吸引孔のうち、前記幅方向の一方側に配設された吸引孔を開放または閉鎖させる第１の開閉部と、
複数の前記吸引孔のうち、前記搬送方向の一方側に配設された吸引孔を開放または閉鎖させる第２の開閉部と、
を備える請求項１に記載の印刷装置。
【請求項５】
前記搬送方向に配設された複数の前記吸引孔と連通する気室と、
前記気室と前記吸引機構部とを接続する通路と、
前記通路に配設されて前記通路を開閉する弁と、
を備える請求項１に記載の印刷装置。
【請求項６】
前記第２の開閉部は、前記搬送部による前記記録紙の搬送位置に基づいて前記吸引孔を開放もしくは閉鎖させる請求項４に記載の印刷装置。
【請求項７】
前記第２の開閉部は、複数の前記吸引孔のうち、前記搬送方向の一方側と逆方向の他方側に配設された吸引孔を開放または閉鎖させる請求項４に記載の印刷装置。
【請求項８】
前記第２の開閉部は、前記搬送方向の一方側に配設された吸引孔を開放または閉鎖する第１のシャッタープレートと、
前記搬送方向の他方側に配設された吸引孔を開放または閉鎖する第２のシャッタープレートと、
を有する請求項７に記載の印刷装置。
【請求項９】
前記記録紙の前記幅方向の寸法を検出する紙幅検出部を有し、
前記第１の開閉部は、前記紙幅検出部による検出結果に基づいて、前記吸引孔を開放または閉鎖させる請求項４に記載の印刷装置。
【請求項１０】
前記第１の開閉部は、複数の前記吸引孔のうち、前記幅方向の一方側と逆方向の他方側に配設された吸引孔を開放または閉鎖させる請求項４に記載の印刷装置。
【請求項１１】
前記第２の開閉部は、前記搬送部による前記記録紙の搬送速度と、複数の前記吸引孔の前記記録紙の搬送方向の間の距離と、を用いて算出された算出結果に基づいて、前記吸引孔を開放もしくは閉鎖させる請求項４に記載の印刷装置。
【請求項１２】
前記第１のシャッタープレートおよび前記第２のシャッタープレートを駆動させるカムを有する請求項８に記載の印刷装置。
【請求項１３】
前記カムは、予め設定された前記吸引孔の開放もしくは閉鎖のタイミングに同期した位相を有する請求項１２に記載の印刷装置。
【請求項１４】
記録紙を搬送する搬送方向および前記搬送方向と直交する幅方向に配設された吸引孔を複数有し、前記液滴吐出ヘッドに対峙するプラテンと、
前記プラテンの前記吸引孔から前記記録紙を吸引する吸引機構部と、
複数の前記吸引孔の少なくとも一部を開放もしくは閉鎖する開閉機構と、
を備えることを特徴とする記録紙搬送機構。
【請求項１５】
前記開閉機構は、前記記録紙により覆われる位置に配設される前記吸引孔を開放し、前記記録紙により覆われない位置に配設される前記吸引孔を閉鎖する請求項１４に記載の記録紙搬送機構。
【請求項１６】
前記開閉機構は、前記搬送部で前記記録紙が搬送されて前記吸引孔を前記記録紙により覆われたときに前記吸引孔を開放し、前記搬送部で前記記録紙が搬送されて前記吸引孔を前記記録紙により覆われなくなったとき、前記吸引孔を閉鎖する請求項１４に記載の記録紙搬送機構。
【請求項１７】
前記開閉機構は、複数の前記吸引孔のうち、前記幅方向の一方側に配設された吸引孔を開放または閉鎖させる第１の開閉部と、
複数の前記吸引孔のうち、前記搬送方向の一方側に配設された吸引孔を開放または閉鎖させる第２の開閉部と、
を備える請求項１４に記載の記録紙搬送機構。
【手続補正３】
【補正対象書類名】明細書
【補正対象項目名】０００９
【補正方法】変更
【補正の内容】
【０００９】
本発明に係る印刷装置は、液滴吐出ヘッドと、記録紙を搬送する搬送部と、前記搬送部で前記記録紙を搬送する搬送方向および前記搬送方向と直交する幅方向に配設された吸引孔を複数有し、前記液滴吐出ヘッドに対峙するプラテンと、前記プラテンの前記吸引孔から前記記録紙を吸引する吸引機構部と、複数の前記吸引孔の少なくとも一部を開放もしくは閉鎖する開閉機構と、を備えることを特徴とする。
ここで、前記開閉機構は、前記記録紙により覆われる位置に配設される前記吸引孔を開放し、前記記録紙により覆われない位置に配設される前記吸引孔を閉鎖することが好ましい。
また、前記開閉機構は、前記搬送部で前記記録紙が搬送されて前記吸引孔を前記記録紙により覆われたときに前記吸引孔を開放し、前記搬送部で前記記録紙が搬送されて前記吸引孔を前記記録紙により覆われなくなったとき、前記吸引孔を閉鎖することが好ましい。
【手続補正４】
【補正対象書類名】明細書
【補正対象項目名】００１０
【補正方法】変更
【補正の内容】
【００１０】
本発明によれば、記録紙によって吸引孔が全て覆われる領域において、吸引孔を開閉機構によって開放してプラテン表面に記録紙を吸引し、記録紙によって覆われない領域（つまり、吸引孔の一部または全部が開口している領域）では、開閉機構によって吸引孔を閉鎖し記録紙に対し、吸引圧を発生させない。
【手続補正５】
【補正対象書類名】明細書
【補正対象項目名】００１４
【補正方法】変更
【補正の内容】
【００１４】
また、本発明に係る印刷装置において、前記開閉機構は、複数の前記吸引孔のうち、前記幅方向の一方側に配設された吸引孔を開放または閉鎖させる第１の開閉部と、複数の前記吸引孔のうち、前記搬送方向の一方側に配設された吸引孔を開放または閉鎖させる第２の開閉部と、を備えることが好ましい。
【手続補正６】
【補正対象書類名】明細書
【補正対象項目名】００１５
【補正方法】変更
【補正の内容】
【００１５】
このようにすれば、第１の開閉部では、記録紙の幅寸法に対応して開閉する吸引孔を選択することにより、例えば、幅が狭い記録紙を用いる場合には記録紙の幅中央領域を吸引し、幅が広い記録紙を用いる場合には、さらに幅方向外側の記録紙範囲内の吸引孔を吸引することで、記録紙の幅に応じて吸引することができる。
【手続補正７】
【補正対象書類名】明細書
【補正対象項目名】００１６
【補正方法】変更
【補正の内容】
【００１６】
また、第２の開閉部では、記録紙の搬送（正送りと逆送りを含む）位置に応じて、記録紙によって覆われた吸引孔を開放して記録紙を吸引することができる。
【手続補正８】
【補正対象書類名】明細書
【補正対象項目名】００１７
【補正方法】変更
【補正の内容】
【００１７】
また、本発明に係る印刷装置において、前記搬送方向に配設された複数の前記吸引孔と連通する気室と、前記気室と前記吸引機構部とを接続する通路と、前記通路に配設されて前記通路を開閉する弁と、を備えることが好ましい。
【手続補正９】
【補正対象書類名】明細書
【補正対象項目名】００１８
【補正方法】変更
【補正の内容】
【００１８】
ここで、上記の「搬送方向に配設された複数の前記吸引孔と連通する気室」とは、複数の吸引孔が搬送方向に配列されたものを吸引孔の縦列とすれば、この縦列が幅方向に複数列設けられ、この縦列毎に気室が設けられていることを意味する。
よって、第１の開閉部では、記録紙の幅に合わせて吸引領域の制御を行うことができる。
【手続補正１０】
【補正対象書類名】明細書
【補正対象項目名】００１９
【補正方法】変更
【補正の内容】
【００１９】
また、本発明に係る印刷装置において、前記第２の開閉部は、前記搬送部による前記記録紙の搬送位置に基づいて前記吸引孔を開放もしくは閉鎖させることが好ましい。
【手続補正１１】
【補正対象書類名】明細書
【補正対象項目名】００２０
【補正方法】変更
【補正の内容】
【００２０】
第２の開閉部では、記録紙の搬送に合わせて横列毎の吸引領域を決定することができる。
【手続補正１２】
【補正対象書類名】明細書
【補正対象項目名】００２１
【補正方法】変更
【補正の内容】
【００２１】
また、本発明に係る印刷装置において、前記第２の開閉部は、複数の前記吸引孔のうち、前記搬送方向の一方側と逆方向の他方側に配設された吸引孔を開放または閉鎖させることが好ましい。
また、前記第２の開閉部は、前記搬送方向に一方側に配設された吸引孔を開放または閉鎖する第１のシャッタープレートと、前記搬送方向の他方側に配設された吸引孔を開放または閉鎖する第２のシャッタープレートと、を有することが好ましい。
【手続補正１３】
【補正対象書類名】明細書
【補正対象項目名】００２２
【補正方法】変更
【補正の内容】
【００２２】
また、本発明に係る印刷装置において、前記記録紙の前記幅方向の寸法を検出する紙幅検出部を有し、前記第１の開閉部は、前記紙幅検出部による検出結果に基づいて、前記吸引孔を開放または閉鎖させることが好ましい。
また、前記第１の開閉部は、複数の前記吸引孔のうち、前記幅方向の一方側と逆方向の他方側に配設された吸引孔を開放または閉鎖することが好ましい。
【手続補正１４】
【補正対象書類名】明細書
【補正対象項目名】００２３
【補正方法】変更
【補正の内容】
【００２３】
本発明によれば、記録紙をプラテン上部に搬送したときに記録紙の幅寸法を検出（測定）し、この幅寸法に合わせて吸引孔の開閉を決定するため、記録紙の幅に合わせて容易に幅方向の吸引領域を決定できる。
【手続補正１５】
【補正対象書類名】明細書
【補正対象項目名】００２４
【補正方法】変更
【補正の内容】
【００２４】
また、本発明に係る印刷装置において、前記第２の開閉部は、前記搬送部による前記記録紙の搬送速度と、複数の前記吸引孔の前記記録紙の搬送方向の間の距離と、を用いて算出された算出結果に基づいて、前記吸引孔を開放もしくは閉鎖させることが好ましい。
【手続補正１６】
【補正対象書類名】明細書
【補正対象項目名】００２５
【補正方法】変更
【補正の内容】
【００２５】
本発明によれば、記録紙の吸引孔に対する位置を決定することができ、吸引孔の開閉を適切なタイミングで行うことができる。また、記録紙の搬送位置と開閉タイミングを合わせるために、記録紙の搬送途中の先端位置を検出するセンサー等の検出手段を備えることを必要としないという利点がある。
【手続補正１７】
【補正対象書類名】明細書
【補正対象項目名】００２６
【補正方法】変更
【補正の内容】
【００２６】
また、本発明に係る印刷装置において、前記第１のシャッタープレートおよび前記第２のシャッタープレートを駆動させるカムを有することが好ましい。
また、前記カムは、予め設定された前記吸引孔の開放もしくは閉鎖のタイミングに同期した位相を有することが好ましい。
【手続補正１８】
【補正対象書類名】明細書
【補正対象項目名】００２７
【補正方法】変更
【補正の内容】
【００２７】
記録紙の搬送速度とカムの駆動とは、それぞれの駆動源としてモーターを用いた場合に速度制御が容易に行える。カムの位相は構造的に固定できるため、吸引孔の開閉タイミングを高精度に制御することができる。
【手続補正１９】
【補正対象書類名】明細書
【補正対象項目名】００２８
【補正方法】変更
【補正の内容】
【００２８】
また、本発明の記録紙搬送機構によれば、記録紙を搬送する搬送方向および前記搬送方向と直交する幅方向に配設された吸引孔を複数有し、前記液滴吐出ヘッドに対峙するプラテンと、前記プラテンの前記吸引孔から前記記録紙を吸引する吸引機構部と、複数の前記吸引孔の少なくとも一部を開放もしくは閉鎖する開閉機構と、を備えることを特徴とする。
また、前記開閉機構は、前記記録紙により覆われる位置に配設される前記吸引孔を開放し、前記記録紙により覆われない位置に配設される前記吸引孔を閉鎖することが好ましい。
また、前記開閉機構は、前記搬送部で前記記録紙が搬送されて前記吸引孔を前記記録紙により覆われたときに前記吸引孔を開放し、前記搬送部で前記記録紙が搬送されて前記吸引孔を前記記録紙により覆われなくなったとき、前記吸引孔を閉鎖することが好ましい。
また、前記開閉機構は、複数の前記吸引孔のうち、前記幅方向の一方側に配設された吸引孔を開放または閉鎖させる第１の開閉部と、複数の前記吸引孔のうち、前記搬送方向の一方側に配設された吸引孔を開放または閉鎖させる第２の開閉手段と、を備えることが好ましい。